(57)【要約】【課題】  コネクタが固定されている開口部の隙間から行われる制御基板の不正な改造を防止することができる。【解決手段】  基板ケース３０は、メイン制御基板３１を収容した蓋部材４０と底部材５０とを備える。蓋部材４０は、コネクタ３４が外部に露出する開口部４５を有し、この開口部４５の周縁に沿って立壁部４６が形成されている。この基板３１には、コネクタ３４との間に遮蔽部材６０が配置されている。この遮蔽部材６０の外周Ｍは、開口部４５の周縁Ｌよりも大きく形成されている。この遮蔽部材６０は、蓋部材４０の立壁部４６が内側に嵌り込むように形成された封止壁部６６を備えている。また、遮蔽部材６０は、接合ピン３５すべてを挿通する挿通口６５が形成されている。この挿通口６５の外周Ｎは、コネクタ３４の外周Ｓよりも小さく形成されている。この基板ケース３０では、遮蔽部材６０により基板３１が開口部４５から外部に露出しない。【選択図】        図３
2006087592.tif 000002
【特許請求の範囲】
【請求項１】
制御基板に固定され配線が接続されるコネクタと、
前記コネクタが外部に露出する開口部を有し前記制御基板を収容する基板ケースと、
前記制御基板と前記コネクタとの間に配置され前記開口部から前記制御基板を外部に露出させないように形成されている遮蔽部材と、
を備えた遊技機。
【請求項２】
前記遮蔽部材は、前記基板ケースと前記制御基板との隙間を封止するように前記開口部の周縁に沿って形成されている封止壁部を備えている、
請求項１に記載の遊技機。
【請求項３】
前記コネクタは、前記配線に接続され前記制御基板に挿入実装される接合ピンを備えており、
前記遮蔽部材は、前記接合ピンのすべてを挿通するように形成されている挿通口を備えている、
請求項１又は２に記載の遊技機。
【発明の詳細な説明】
【技術分野】
【０００１】
本発明は、遊技機に関する。
【背景技術】
【０００２】
従来、遊技機としては、配線が接続されたコネクタを固定した制御基板を基板ケースに収容し、このコネクタが固定されている制御基板部分にカバー部材を備えたものが提案されている（例えば、特許文献１参照）。この特許文献１に記載された遊技機は、コネクタが固定されている基板部分にカバー部材を設けて制御基板の外部に露出する部分を少なくして制御基板の不正な改造を防止する。
【特許文献１】特開２０００−３７５０７号公報
【発明の開示】
【発明が解決しようとする課題】
【０００３】
しかしながら、この特許文献１に記載された遊技機では、コネクタとカバー部材との間にはコネクタを組み付けたりコネクタに装着される端子を取り外したりするためのクリアランスが必要であり、依然として制御基板が外部に露出する部分が存在していた。このため、コネクタが固定されている開口部の隙間から行われる制御基板の不正な改造を防止することができなかった。
【０００４】
本発明は、このような課題に鑑みなされたものであり、コネクタが固定されている開口部の隙間から行われる制御基板の不正な改造を防止することができる遊技機を提供することを目的とする。
【課題を解決するための手段】
【０００５】
本発明の遊技機は、上述の目的を達成するために以下の手段を採った。
【０００６】
手段１．本発明の遊技機は、
制御基板に固定され配線が接続されるコネクタと、
前記コネクタが外部に露出する開口部を有し前記制御基板を収容する基板ケースと、
前記制御基板と前記コネクタとの間に配置され前記開口部から前記制御基板を外部に露出させないように形成されている遮蔽部材と、
を備えた遊技機。
【０００７】
この遊技機では、コネクタを固定した制御基板が基板ケースに収容され、基板ケースが有する開口部からコネクタが外部に露出している。ここで、制御基板とコネクタとの間には開口部から制御基板を外部に露出させないように形成された遮蔽部材が配置されている。このため、開口部から制御基板が外部に露出することはない。したがって、コネクタが固定されている開口部の隙間から行われる制御基板の不正な改造を防止することができる。
【０００８】
手段２．手段１に記載の遊技機であって、前記遮蔽部材の外周の輪郭部分は、前記開口部の周縁よりも大きく形成されている、遊技機。こうすれば、開口部の周縁と遮蔽部材との隙間をこじ開けることも困難になるため、一層制御基板の不正な改造を防止しやすい。
【０００９】
手段３．手段１又は２に記載の遊技機であって、前記遮蔽部材は、前記基板ケースと前記制御基板との隙間を封止するように前記開口部の周縁に沿って形成されている封止壁部を備えている、遊技機。こうすれば、基板ケースと制御基板との隙間を利用して制御基板に不正を働くことも困難になるため、一層制御基板の不正な改造を防止しやすい。
【００１０】
手段４．手段３に記載の遊技機であって、前記基板ケースは、前記開口部の周縁に沿って形成されている封止壁部の内側に嵌り込むように形成されている立壁部を備えている、遊技機。こうすれば、相対する基板ケースと制御基板に配置された遮蔽部材とにそれぞれ形成された立壁部と封止壁部とが嵌り込むため、開口部から異物などを挿入しにくく、制御基板の不正な改造を防止しやすい。
【００１１】
手段５．手段４に記載の遊技機であって、前記遮蔽部材は、可撓性を有する部材により形成されている、遊技機。こうすれば、遮蔽部材の封止壁部が撓むことができるため、立壁部が封止壁部に嵌りやすい。
【００１２】
手段６．手段１〜５のいずれかに記載の遊技機であって、前記制御基板には、複数のコネクタが固定され、前記複数のコネクタの各々と前記制御基板との間には、各コネクタごとに前記遮蔽部材が配置されている、遊技機。こうすれば、各コネクタごとに開口部から制御基板を外部に露出させないようにすることができる。
【００１３】
手段７．手段１〜５のいずれかに記載の遊技機であって、前記制御基板には、複数のコネクタが固定され、前記複数のコネクタと前記制御基板との間には、各コネクタごとに配置されるべき遮蔽部材が連なって一体となった形状の一体化部材が配置されている、遊技機。こうすれば、コネクタの数に対して遮蔽部材の数が少なくてすむため、組み立てやすい。
【００１４】
手段８．手段１〜７のいずれかに記載の遊技機であって、前記コネクタは、前記配線に接続され前記制御基板に挿入実装される接合ピンを備えており、前記遮蔽部材は、前記複数の接合ピンのそれぞれを挿通するように形成されている挿通孔を備えている、遊技機。こうすれば、挿通孔に接合ピンを挿入することによりコネクタと遮蔽部材との位置決めを比較的容易に行うことができる。
【００１５】
手段９．手段８に記載の遊技機であって、前記遮蔽部材は、前記コネクタを前記制御基板に接合する際の熱に耐えうる部材により形成されている、遊技機。こうすれば、遮蔽部材が耐熱性を有するため、はんだ付けなどにより接合ピンを制御基板に接合する際に熱の影響を受けて遮蔽部材が変形したり加熱した遮蔽部材が制御基板に流動したりして起きる接合ピンと制御基板との接合不良を防止することができる。ここで、「熱に耐えうる部材」としては、例えばポリアミドなどのエンジニアリングプラスチックやアルミナなどのセラミックなどが挙げられる。
【００１６】
手段１０．手段１〜７のいずれかに記載の遊技機であって、前記コネクタは、前記配線に接続され前記制御基板に挿入実装される接合ピンを備えており、前記遮蔽部材は、前記接合ピンのすべてを挿通するように形成されている挿通口を備えている、遊技機。こうすれば、接合ピンの周囲に存在する遮蔽部材が少ないため、はんだ付けなどにより接合ピンを制御基板に接合する際に熱の影響を受けて遮蔽部材が変形したり加熱した遮蔽部材が接合ピンに流動したりして起きる接合ピンと制御基板との接合不良を防止することができる。
【００１７】
手段１１．手段１０に記載の遊技機であって、前記遮蔽部材は、前記制御基板との取り付け用の位置決め部を備えている、遊技機。こうすれば、遮蔽部材のずれを防止可能であるため、遮蔽部材を制御基板に取り付けやすい。
【００１８】
手段１２．手段１０又は１１に記載の遊技機であって、前記挿通口の外周は、前記コネクタの外周よりも小さく形成されている、遊技機。こうすれば、挿通口がコネクタによって塞がれるため、挿通口から異物などを挿入しにくく、制御基板の不正な改造を防止しやすい。
【００１９】
手段１３．手段１〜１２のいずれかに記載の遊技機であって、前記遮蔽部材は、前記コネクタと係合する係合部を備えている、遊技機。こうすれば、遮蔽部材とコネクタとが係合して一体となるため、これらを制御基板上に配置しやすい。
【００２０】
手段１４．手段１〜１３のいずれかに記載の遊技機であって、前記基板ケースは、前記コネクタが外部に露出する開口部を有し前記制御基板を収容する蓋部材と、前記蓋部材に対してスライドして該蓋部材に一体化される底部材とを備えている、遊技機。このように、スライドして蓋部材と底部材とが一体化される基板ケースに本発明を適用することができる。
【００２１】
手段１５．手段１〜１３のいずれかに記載の遊技機であって、前記基板ケースは、前記制御基板を収容する底部材と、前記コネクタが外部に露出する開口部を有し前記底部材に対して回動して該底部材に一体化される蓋部材とを備えている、遊技機。このように、回動して蓋部材と底部材とが一体化される基板ケースでは、蓋部材の開口部が弧を描いて該開口部からコネクタが露出するため、例えばスライド式のものに比べて開口部が大きくなる。したがって、本発明を適用する意義が高い。このとき、前記遮蔽部材は、可撓性の部材により形成されていることが好ましい。蓋部材が回動すると、蓋部材が弧を描いて遮蔽部材に当接するためである。
【００２２】
手段１６．手段１〜１３のいずれかに記載の遊技機であって、前記基板ケースは、前記制御基板を収容する底部材と、前記コネクタが外部に露出する開口部を有し前記制御基板のうち前記コネクタが固定されている部分を覆う第１蓋部材と、前記制御基板のうち前記第１蓋部材によって覆われている部分以外の部分を覆うように形成されている第２蓋部材とを備えている、遊技機。このように、蓋部材が２つの部材からなる基板ケースに適用することができる。このとき、前記第１蓋部材及び第２蓋部材は、前記制御基板を収容し、前記底部材は、前記第１蓋部材及び第２蓋部材に対してスライドして該第１蓋部材及び第２蓋部材に一体化されてもよいし、あるいは、前記底部材は前記制御基板を収容し、前記第２蓋部材は、前記底部材に対して回動して該底部材に一体化されてもよい。また、基板ケースの蓋部材が３つ以上の部材から構成されていてもよいし、基板ケースの底部材が２つ以上の部材から構成されていてもよい。
【００２３】
手段１７．前記遊技機はパチンコ機である、手段１〜１６のいずれかに記載の遊技機。こうすれば、パチンコ機において、手段１〜１６の作用効果が得られる。ここで、パチンコ機は、いわゆる第１種、第２種、第３種と称される機種であってもよいが、これら以外の機種であってもよい。
【００２４】
手段１８．前記遊技機はスロットマシンである、手段１〜１６のいずれかに記載の遊技機。こうすれば、スロットマシンにおいて、手段１〜１６の作用効果が得られる。ここで、スロットマシンには、例えばＡタイプ（ビッグボーナスゲームが小役ゲーム３０回とＪＡＣゲーム３回のセットで構成されるタイプ）、Ｂタイプ（ビッグボーナスゲームが小役ゲーム３０回とＪＡＣゲーム２回のセットで構成されるタイプ）、Ｃタイプ（シングルボーナスが頻繁に揃うタイプ）、ＡタイプとＣタイプの複合機、ＢタイプとＣタイプの複合機などがあるが、いずれのスロットマシンであってもよいし、これらのタイプ以外のスロットマシンであってもよい。
【００２５】
手段１９．前記遊技機はパチンコ機とスロットマシンとを融合させてなる融合機である、手段１〜１６のいずれかに記載の遊技機。こうすれば、パチンコ機とスロットマシンとを融合させてなる融合機において、手段１〜１６の作用効果が得られる。ここで、融合機としては、例えば遊技媒体としてメダルの代わりに遊技球を用いるスロットマシンなどが挙げられる。
【００２６】
手段２０．本発明の制御基板収容方法は、
コネクタを固定した制御基板を基板ケースに収容する方法であって、
（Ａ）前記制御基板のうち前記コネクタを固定する箇所に所定形状の遮蔽部材を位置決めする工程と、
（Ｂ）前記遮蔽部材を介して前記コネクタを前記制御基板に固定する工程と、
（Ｃ）前記基板ケースに設けた開口部から前記コネクタが露出するようにして前記制御基板を前記基板ケース内に収容することによって前記遮蔽部材により前記開口部から前記制御基板を外部に露出させないようになる工程と、
を含む制御基板収容方法。
【００２７】
この制御基板収容方法では、制御基板のうちコネクタを固定する箇所に所定形状の遮蔽部材を位置決めし、遮蔽部材を介してこのコネクタを制御基板に固定し、基板ケースに設けた開口部からコネクタが露出するようにして制御基板を基板ケース内に収容する。このとき、遮蔽部材により開口部から制御基板を外部に露出させないようになる。したがって、コネクタが固定されている開口部の隙間から行われる制御基板の不正な改造を防止することができる。ここで、「所定形状」とは、前記開口部から前記制御基板を外部に露出させない形状としてもよい。なお、この制御基板収容方法において、上述した遊技機の種々の態様を採用してもよいし、また、上述した遊技機の機能を実現するような工程を追加してもよい。
【００２８】
手段２１．コネクタを固定した制御基板を基板ケースに収容する方法であって、
（Ａ）前記コネクタに所定形状の遮蔽部材を位置決めする工程と、
（Ｂ）前記遮蔽部材を介して前記コネクタを前記制御基板に固定する工程と、
（Ｃ）前記基板ケースに設けた開口部から前記コネクタが露出するようにして前記制御基板を前記基板ケース内に収容することによって前記遮蔽部材により前記開口部から前記制御基板を外部に露出させないようになる工程と、
を含む制御基板収容方法。
【００２９】
この制御基板収容方法では、コネクタに所定形状の遮蔽部材を位置決めし、この遮蔽部材を介してコネクタを制御基板に固定し、基板ケースに設けた開口部からコネクタが露出するようにして制御基板を基板ケース内に収容する。このとき、遮蔽部材により開口部から制御基板を外部に露出させないようになる。したがって、コネクタが固定されている開口部の隙間から行われる制御基板の不正な改造を防止することができる。ここで、「所定形状」とは、前記開口部から前記制御基板を外部に露出させない形状としてもよい。なお、この制御基板収容方法において、上述した遊技機の種々の態様を採用してもよいし、また、上述した遊技機の機能を実現するような工程を追加してもよい。
【００３０】
また、本発明は、制御基板遮蔽構造に係る発明と見ることもできる。例えば、制御基板に固定され配線が接続されるコネクタと、前記コネクタが外部に露出する開口部を有し前記制御基板を収容する基板ケースと、前記制御基板と前記コネクタとの間に配置され前記開口部から前記制御基板を外部に露出させないように形成されている遮蔽部材と、を備えた制御基板遮蔽構造として捉えることもできる。この制御基板遮蔽構造は、上述した手段１〜１６のいずれかの構成を採用したものであってもよい。
【発明を実施するための最良の形態】
【００３１】
次に、本発明を実施するための最良の形態を実施例を用いて説明する。
【実施例】
【００３２】
図１は本実施例のパチンコ機２０を裏面から見た外観図であり、図２は基板ケース３０の分解斜視図であり、図３は、基板ケース３０の断面図であり、図４は、コネクタ３４の取り付け部分の分解斜視図である。パチンコ機２０は、図１に示すように、外枠２にヒンジ３を介して開閉自在に取り付けられた前枠４と、外枠２の裏側上部に取り付けられ遊技球を貯留可能なタンク６と、遊技球をタンク６から遊技球払出装置８へと導くタンクレール１０と、遊技球払出装置８を制御する払出制御基板を収容する払出制御基板ケース１２と、外枠２の裏面中央に開閉自在に取り付けられた大型カバー１４と、パチンコ機２０を制御するメイン制御基板３１（図２参照）がその内部に固定された基板ケース３０と、遊技球を遊技盤（図示せず）へ発射させるステップモータ１６とを備える。なお、大型カバー１４は、特別図柄表示装置としての液晶ディスプレイの表示制御を司る表示制御基板を収容する表示制御基板ケースや各種ランプの表示制御を司るランプ制御基板を収容するランプ制御基板ケースやスピーカからの発生音の制御を司る音声制御基板を収容する音声制御基板ケースなどが内包されている。
【００３３】
基板ケース３０は、図２に示すように、メイン制御基板３１を収容する蓋部材４０と、蓋部材４０に一体化される底部材５０とからなる。蓋部材４０は、その両端に鍔状部４３が形成されている。また、底部材５０には、その両端に蓋部材４０の鍔状部４３を嵌め込んで蓋部材４０をスライドさせるガイド部５３が形成されている。この基板ケース３０は、鍔状部４３とガイド部５３を用いてメイン制御基板３１を収容した蓋部材４０に対して底部材５０を上下方向にスライドさせ、底部材５０により閉じて封止機構（図示せず）により着脱不能に封止して一体化するものである。この基板ケース３０は、一体化された状態でパチンコ機２０の背面に固定される。
【００３４】
メイン制御基板３１は、絶縁体からなる板の表面に電気回路の配線をプリントし、その上に部品を実装した基板である。このメイン制御基板３１には、複数のコネクタ３４（ここでは３つ）が固定されている。この複数のコネクタ３４の各々とメイン制御基板３１との間には、各コネクタ３４ごとに遮蔽部材６０が配置されている。
【００３５】
コネクタ３４は、図３に示すように、絶縁性の材質により直方体の形状に成形されたものであり、配線束３７の先端に取り付けられたコネクタ端子３６が着脱可能に差し込まれる端子差込口３４ａと、この端子差込口３４ａに差し込まれたコネクタ端子３６と電気的に接続されると共に裏面から突出してメイン制御基板３１の通過孔３３（図４参照）に挿入される接合ピン３５とを備えている。メイン制御基板３１は、このコネクタ３４に装着されたコネクタ端子３６の配線束３７を介して他の制御基板と情報のやりとりを行う。なお、コネクタ３４は、接合ピン３５を複数（ここでは８本）備えている。
【００３６】
蓋部材４０は、透明なＰＣ（ポリカーボネート樹脂）により成形されたものであり、メイン制御基板３１の主回路を覆う主回路収容部４１と、主回路収容部４１に段差を設けて形成されメイン制御基板３１に固定されたコネクタ３４を覆うコネクタ収容部４２とを備えている。このコネクタ収容部４２には、コネクタ３４を外部に露出する開口部４５が設けられ、この開口部４５からコネクタ３４に接続された配線束３７が導出される。また、コネクタ収容部４２には、図３及び図４に示すように、開口部４５の周縁に沿って、基板ケース３０に収容されるメイン制御基板３１に向かうように蓋部材４０に対して略垂直に立壁部４６が形成されている。開口部４５は、基板ケース３０を一体化させる際に、組み付けしやすいようにコネクタ３４との間に一定のクリアランスを有するように形成されている。
【００３７】
底部材５０は、透明なＰＣ（ポリカーボネート樹脂）により成形されたものであり、メイン制御基板３１の裏面の突起などに接触しないように段差部５２が形成されている。
【００３８】
遮蔽部材６０は、図３及び図４に示すように、開口部４５からメイン制御基板３１を外部に露出させないように形成されている部材である。具体的には、遮蔽部材６０は、メイン制御基板３１の板面に面接触した状態でメイン制御基板３１を覆う板状に形成されている底部６１と、この底部６１の外周のまわりに沿って、蓋部材４０に向かうように底部６１に対して略垂直に形成されている封止壁部６６とを備えている。この遮蔽部材６０の外周の輪郭部分Ｍは、開口部４５の周縁Ｌよりも大きく形成されている。底部６１は、コネクタ３４が配置されたときにコネクタ３４と接する部分に隙間を生じないように形成されている。この底部６１には、コネクタ３４の接合ピン３５すべてを遮蔽部材６０に接触させずに挿通する矩形状の挿通口６５が形成されている。この挿通口６５の外周Ｎは、コネクタ３４の外周Ｓよりも小さく形成されている。封止壁部６６は、立壁部４６の外周部分が封止壁部６６の内周部分に略密着するような大きさに設計されている。このため、メイン制御基板３１を収容した蓋部材４０と底部材５０とを一体化した際に、立壁部４６が封止壁部６６の内側に嵌り込む。また、コネクタ３４が固定されたメイン制御基板３１が蓋部材４０に収容されたときに、蓋部材４０の立壁部４６は遮蔽部材６０の底部６１と当接する高さに設計され、遮蔽部材６０の封止壁部６６は、蓋部材４０に当接する高さに設計されている。このため、メイン制御基板３１を収容した蓋部材４０と底部材５０とを一体化した際に、立壁部４６と底部６１とが当接し、封止壁部６６と蓋部材４０とが当接するため、蓋部材４０とメイン制御基板３１との隙間が遮蔽部材６０により封止される。この底部６１のメイン制御基板３１に接触する側の面の周縁には、メイン制御基板３１との取り付け用の位置決め部６２が複数（ここでは６箇所）形成されている。なお、この位置決め部６２は、底部６１をメイン制御基板３１に位置決め可能な数だけ適宜選択して形成すればよい。
【００３９】
次に、コネクタ３４をメイン制御基板３１に固定させ、メイン制御基板３１を基板ケース３０に収容するメイン制御基板収容方法について図４を用いて説明する。ここで、メイン制御基板３１には、コネクタ３４の接合ピン３５を通過させる通過孔３３が複数（ここでは８つ）形成されている。また、メイン制御基板３１には、コネクタ３４との間に配置される遮蔽部材６０を位置決めする位置決め穴３２が通過孔３３の周辺に複数（ここでは６つ）形成されている。まず、メイン制御基板３１の位置決め穴３２に遮蔽部材６０に形成された位置決め部６２を嵌め込むことにより遮蔽部材６０をメイン制御基板３１に位置決めする。これにより、遮蔽部材６０の底部６１とメイン制御基板３１の板面とが面接触した状態となる。次に、遮蔽部材６０の上側からコネクタ３４の接合ピン３５を挿通口６５及び通過孔３３に挿通させてコネクタ３４を配置し、メイン制御基板３１の裏側からこの接合ピン３５をはんだ付けすることにより遮蔽部材６０を介した状態でコネクタ３４をメイン制御基板３１に固定する。続いて、蓋部材４０に設けた開口部４５からコネクタ３４が露出するようにしてメイン制御基板３１を蓋部材４０に収容する。すると、蓋部材４０の立壁部４６が遮蔽部材６０の底部６１に当接するため、遮蔽部材６０により開口部４５からメイン制御基板３１が外部に露出しないようになる。このとき、蓋部材４０の立壁部４６が遮蔽部材６０の封止壁部６６の内側に嵌り込む（図３参照）。このため、蓋部材４０とメイン制御基板３１との隙間が封止される。そして、蓋部材４０の鍔状部４３（図２参照）を底部材５０のガイド部５３に嵌め込み、底部材５０をメイン制御基板３１を収容した蓋部材４０に底部材５０をスライドさせ、封止機構（図示せず）により着脱不能に封止して一体化させる。こうして、メイン制御基板３１は、遮蔽部材６０により開口部４５から露出しないように基板ケース３０に収容される。
【００４０】
以上詳述した本実施例のパチンコ機２０によれば、コネクタ３４を固定したメイン制御基板３１が基板ケース３０に収容され、基板ケース３０が有する開口部４５からコネクタ３４が外部に露出している。ここで、メイン制御基板３０とコネクタ３４との間には開口部４５からメイン制御基板３１を外部に露出させないように形成された遮蔽部材６０が配置されている。このため、開口部４５からメイン制御基板３０が外部に露出することはない。したがって、コネクタ３４が固定されている開口部４５の隙間から行われるメイン制御基板３１の不正な改造を防止することができる。また、開口部４５の隙間からメイン制御基板３１の不正な改造が行われたときには、その痕跡が遮蔽部材６０に残るため、メイン制御基板３１の不正な改造を認識しやすい。
【００４１】
また、遮蔽部材６０の外周Ｍは、開口部４５の周縁Ｌよりも大きく形成されているため、開口部４５の周縁と遮蔽部材６０との隙間をこじ開けることも困難になり、一層メイン制御基板３１の不正な改造を防止しやすい。更に、遮蔽部材６０は、蓋部材４０とメイン制御基板３１との隙間を封止するように開口部４５の周縁に沿って形成されている封止壁部６６を備えているため、蓋部材４０とメイン制御基板３１との隙間を利用してメイン制御基板３１に不正を働くことも困難になり、一層メイン制御基板３１の不正な改造を防止しやすい。更にまた、蓋部材４０は、開口部４５の周縁に沿って形成されている封止壁部６６の内側に嵌り込むように形成されている立壁部４６を備えているため、開口部４５から異物などを挿入しにくく、メイン制御基板３１の不正な改造を防止しやすい。
【００４２】
更に、メイン制御基板３１には、複数のコネクタ３４が固定され、複数のコネクタの各々とメイン制御基板３１との間には、各コネクタごとに遮蔽部材６０が配置されているため、各コネクタごとに開口部４５からメイン制御基板３１を外部に露出させないようにすることができる。また、コネクタ３４は、配線束３７に接続される複数の接合ピン３５によりメイン制御基板３１に接合され、遮蔽部材６０は、接合ピン３５のすべてを挿通するように形成されている挿通口６５を備えているため、接合ピン３５の周囲に存在する遮蔽部材６０が少なく、はんだ付けなどにより接合ピン３５をメイン制御基板３１に接合する際に熱の影響を受けて遮蔽部材６０が変形したり加熱した遮蔽部材が接合ピンに流動したりして起きる接合ピンとメイン制御基板３１との接合不良を防止することができる。
【００４３】
更にまた、遮蔽部材６０は、メイン制御基板３１との取り付け用の位置決め部６２を備えているため、遮蔽部材６０のずれを防止可能であり、遮蔽部材６０をメイン制御基板３１に取り付けやすい。また、挿通口６５の外周Ｎは、コネクタ３４の外周Ｓよりも小さく形成されているため、挿通口６５がコネクタ３４によって塞がれ、挿通口６５から異物などを挿入しにくく、メイン制御基板３１の不正な改造を防止しやすい。
【００４４】
なお、本発明は上述した実施例に何ら限定されることはなく、本発明の技術的範囲に属する限り種々の態様で実施し得ることはいうまでもない。
【００４５】
また、以下の説明において、上述した実施例と同じ構成については同じ符号を付しその説明を省略した。
【００４６】
例えば、上述した実施例では、立壁部４６を備えている蓋部材４０からなる基板ケース３０としたが、図５（ａ）に示すように、立壁部４６を備えていない蓋部材４０Ｂからなる基板ケース３０Ｂとしてもよい。こうしても、コネクタ３４が固定されている開口部４５の隙間から行われるメイン制御基板３１の不正な改造を防止することができる。また、上述した実施例では、封止壁部６６を備えている遮蔽部材６０からなる基板ケース３０としたが、図５（ｂ）に示すように、封止壁部６６を備えていない遮蔽部材６０Ｃからなる基板ケース３０Ｃとしてもよい。こうしても、コネクタ３４が固定されている開口部４５の隙間から行われるメイン制御基板３１の不正な改造を防止することができる。更に、上述した実施例では、立壁部４６を備えている蓋部材４０と、封止壁部６６を備えている遮蔽部材６０とからなる基板ケース３０としたが、図５（ｃ）に示すように、立壁部４６を備えていない蓋部材４０Ｄと、封止壁部６６を備えていない遮蔽部材６０Ｄとからなる基板ケース３０Ｄとしてもよい。こうしても、コネクタ３４が固定されている開口部４５の隙間から行われるメイン制御基板３１の不正な改造を防止することができる。更にまた、上述した実施例では、メイン制御基板３１との取り付け用の位置決め部６２を備えている遮蔽部材６０からなる基板ケース３０としたが、図５（ｄ）に示すように、位置決め部６２を備えていない遮蔽部材６０Ｅからなる基板ケース３０Ｅとしてもよい。こうしても、コネクタ３４が固定されている開口部４５の隙間から行われるメイン制御基板３１の不正な改造を防止することができる。なお、上述した実施例では、立壁部４６及び封止壁部６６は、開口部４５の周縁を一周するように形成したが、これらを開口部４５の周縁の一部に形成してもよい。
【００４７】
また、上述した実施例では、複数のコネクタ３４の各コネクタごとに配置する遮蔽部材６０を用いるとしたが、図６（ａ）に示すように、各コネクタごとに配置されるべき遮蔽部材６０が連なって一体となった形状の一体化部材６０Ｆを用いてもよい。こうすれば、コネクタ３４の数に対して遮蔽部材６０Ｆの数が少なくてすむため、組み付けしやすい。
【００４８】
更に、上述した実施例では、接合ピン３５のすべてを挿通するように形成されている挿通口６５を備えている遮蔽部材６０を用いるとしたが、図６（ｂ）に示すように、複数の接合ピン３５のそれぞれを挿通するように形成されている挿通孔６８を備えている遮蔽部材６０Ｇを用いてもよい。こうすれば、挿通孔６８に接合ピン３５を挿入することによりコネクタ３４とメイン制御基板３１との位置決めを比較的容易に行うことができる。このため、位置決め部６２を省略できる。また、このとき、遮蔽部材６０は、コネクタ３４をメイン制御基板３１に接合する際の熱に耐えうる部材（例えばポリアミドなどのエンジニアリングプラスチックやアルミナなどのセラミックなど）により形成してもよい。こうすれば、遮蔽部材６０が耐熱性を有するため、はんだ付けなどにより接合ピン３５をメイン制御基板３１に接合する際に遮蔽部材６０が変形したり加熱した遮蔽部材６０がメイン制御基板３１に流動したりして起きる接合ピン３５とメイン制御基板３１との接合不良を防止することができる。
【００４９】
更にまた、上述した実施例では、特に説明していないが、図７に示すように、遮蔽部材６０Ｈは、コネクタ３４Ｈと係合する係合部６７を備えていてもよい。具体的には、係合部６７は、コネクタ３４Ｈを両側から挟み込み、先端に備えた爪状部６７ａがコネクタに３４Ｈに形成された溝部３８に引っ掛かることにより（図７の点線参照）コネクタ３４Ｈと遮蔽部材６０Ｈとを係合するものである。こうすれば、遮蔽部材６０Ｈとコネクタ３４Ｈとが係合して一体となるため、これらをメイン制御基板３１Ｈ上に配置しやすい。また、通過孔３３を接合ピン３５が通過することにより一体となったコネクタ３４Ｈ及び遮蔽部材６０Ｈがメイン制御基板３１Ｈ上に位置決めされるため、位置決め部６２及び位置決め穴３２を形成しなくてもよい。あるいは、メイン制御基板３１を貫通させて位置決め穴３２を形成し、遮蔽部材６０Ｈとコネクタ３４Ｈとを係合させたときに遮蔽部材６０の裏面から突出した接合ピン３５よりも長くなるように位置決め部６２を遮蔽部材６０の裏面に形成してもよい。こうすれば、係合させた遮蔽部材６０Ｈとコネクタ３４Ｈとをメイン制御基板３１に配置しやすい。また、組み付け時に遮蔽部材６０Ｈとコネクタ３４Ｈとを係合させた状態で机上などで待機させる場合、位置決め部６２が接合ピン３５より長く足の代わりになり接合ピン３５が机上に接することがないため接合ピン３５を保護することができる。
【００５０】
このとき、メイン制御基板収容方法は、以下の手順としてもよい。このメイン制御基板収容方法を図７に基づいて説明する。まず、遮蔽部材６０Ｈの上側からコネクタ３４Ｈの接合ピン３５を挿通口６５に挿通し、コネクタ３４Ｈの溝部３８に遮蔽部材６０Ｈの係合部６７を係合させて遮蔽部材６０Ｈを位置決めする。すると、コネクタ３４Ｈと遮蔽部材６０Ｈとが一体になる。次に、メイン制御基板３１Ｈの通過孔３３にコネクタ３４Ｈの接合ピン３５を通過させることにより、コネクタ３４Ｈと一体となった遮蔽部材６０Ｈをメイン制御基板３１Ｈに位置決めする。これにより、遮蔽部材６０Ｈの底部６１とメイン制御基板３１Ｈの板面とが面接触した状態となる。続いて、メイン制御基板３１Ｈの裏側からこの接合ピン３５をはんだ付けすることにより遮蔽部材６０Ｈを介した状態でコネクタ３４Ｈをメイン制御基板３１Ｈに固定する。続いて、蓋部材４０Ｈに設けた開口部４５からコネクタ３４Ｈが露出するようにしてメイン制御基板３１Ｈを蓋部材４０Ｈに収容する。すると、蓋部材４０Ｈの立壁部４６が遮蔽部材６０Ｈの底部６１に当接するため、遮蔽部材６０Ｈにより開口部４５からメイン制御基板３１Ｈが外部に露出しないようになる。このとき、蓋部材４０Ｈの立壁部４６が遮蔽部材６０Ｈの封止壁部６６の内側に嵌り込む。このため、蓋部材４０Ｈとメイン制御基板３１Ｈとの隙間が封止される。そして、蓋部材４０Ｈの鍔状部４３（図２参照）を底部材５０のガイド部５３に嵌め込み、底部材５０をメイン制御基板３１Ｈを収容した蓋部材４０Ｈに底部材５０をスライドさせ、封止機構（図示せず）により着脱不能に封止して一体化させる。このようにしても、コネクタ３４Ｈが固定されている開口部４５の隙間から行われるメイン制御基板３１Ｈの不正な改造を防止することができる。
【００５１】
そして、遮蔽部材６０は、可撓性を有する部材（例えばプラスチックなど）により形成されていてもよい。こうすれば、遮蔽部材６０の封止壁部６６が撓むことができるため、立壁部４６が封止壁部６６に嵌りやすい。
【００５２】
そしてまた、上述した実施例では、基板ケース３０は、コネクタ３４が外部に露出する開口部４５を有しメイン制御基板３１を収容する蓋部材４０と、蓋部材４０に対してスライドして蓋部材４５に一体化される底部材５０とを備えているものとしたが、図８に示すように、基板ケース３０Ｊは、コネクタ３４が外部に露出する開口部４５を有しメイン制御基板３１を収容する底部材５０Ｊと、底部材に対して蝶番部３９により回動して底部材５０に一体化される蓋部材４０Ｊとを備えているものとしてもよい。このように、回動して蓋部材４０Ｊと底部材５０Ｊとが一体化される基板ケース３０Ｊでは、蓋部材４０Ｊの開口部４５が弧を描いて開口部４５からコネクタ３４が露出するようになるため、例えばスライド式のものに比べて開口部４５が大きくなる。したがって、本発明を適用する意義が高い。このとき、遮蔽部材６０は、可撓性を有する部材（例えばプラスチックなど）により形成されていることが好ましい。蓋部材４０Ｊが回動すると、蓋部材４０Ｊが弧を描いて遮蔽部材６０に当接するためである。
【００５３】
あるいは、図９に示すように、基板ケース３０Ｋは、メイン制御基板３１を収容する底部材５０Ｋと、コネクタ３４が外部に露出する開口部４５を有しメイン制御基板３１のうちコネクタ３４が固定されている部分を覆うコネクタ収容蓋４２Ｋ（第１蓋部材）と、メイン制御基板３１のうちコネクタ収容蓋４２Ｋによって覆われている部分以外の部分を覆うように形成されている主回路収容蓋４１Ｋ（第２蓋部材）とを備えているものとしてもよい。このように、蓋部材が２つの部材からなる基板ケースに適用することができる。このとき、主回路収容蓋４１Ｋ及びコネクタ収容蓋４２Ｋは、メイン制御基板３１を収容し、底部材５０Ｋは、主回路収容蓋４１Ｋ及びコネクタ収容蓋４２Ｋに対してスライドして主回路収容蓋４１Ｋ及びコネクタ収容蓋４２Ｋに一体化されてもよいし、あるいは、底部材はメイン制御基板３１を収容し、主回路収容蓋は、底部材に対して蝶番部により回動して底部材に一体化されてもよい。また、基板ケース３０の蓋部材が３つ以上の部材から構成されていてもよいし、基板ケース３０の底部材が２つ以上の部材から構成されていてもよい。
【００５４】
そして更に、本実施例では、メイン制御基板３１に遮蔽部材６０を適用したが、上述した払出制御基板、表示制御基板、ランプ制御基板及び音声制御基板など他の制御基板に遮蔽部材６０を適用してもよい。
【００５５】
そして更にまた、上述した実施例では、パチンコ機２０を例にとって説明したが、本発明が適用可能な遊技機はパチンコ機に限定されるものではなく、遊技球の入球に伴って当否判定を行う全ての遊技機、例えばパチンコ機とスロットマシンとを融合させた遊技機などにも適用することができるのは勿論である。あるいは、スロットマシンに適用することも可能である。
【図面の簡単な説明】
【００５６】
【図１】本実施例のパチンコ機２０を裏面から見た外観図である。
【図２】本実施例の基板ケース３０の分解斜視図である。
【図３】本実施例の基板ケース３０の断面図である。
【図４】本実施例のコネクタ３４の取り付け部分の分解斜視図である。
【図５】別の実施例の基板ケース３０Ｂ，３０Ｃ，３０Ｄ，３０Ｅの説明図である。
【図６】別の実施例の遮蔽部材６０Ｆ，６０Ｇの説明図である。
【図７】別の実施例の遮蔽部材６０Ｈの説明図である。
【図８】別の実施例の基板ケース３０Ｊの説明図である。
【図９】別の実施例の基板ケース３０Ｋの説明図である。
【符号の説明】
【００５７】
１  外枠、３  ヒンジ、４  前枠、６  タンク、８  遊技球払出装置、１０  タンクレール、１２  払出メイン制御基板、１４  大型カバー、１６  ステップモータ、２０  パチンコ機、３０，３０Ｂ〜３０Ｅ，３０Ｈ〜３０Ｋ  基板ケース、３１，３１Ｈ  メイン制御基板、３２  位置決め穴、３３  通過孔、３４，３４Ｈ  コネクタ、３４ａ  端子差込口、３５  接合ピン、３６  コネクタ端子、３７  配線、３８  溝部、３９  蝶番部、４０，４０Ｂ〜４０Ｅ，４０Ｈ〜４０Ｋ  蓋部材、４１  主回路収容部、４１Ｋ  主回路収容蓋、４２  コネクタ収容部、４２Ｋ  コネクタ収容蓋、４３  鍔状部、４５  開口部、４６  立壁部、５０，５０Ｂ〜５０Ｅ，５０Ｈ〜５０Ｋ  底部材、５２  段差部、５３  ガイド部、６０，６０Ｂ〜Ｋ  遮蔽部材、６１  底部、６２  位置決め部、６５  挿通口、６６  封止壁部、６７  係合部、６７ａ  爪状部、６８  挿通孔。
【図１】
2006087592.tif 000003
【図２】
2006087592.tif 000004
【図３】
2006087592.tif 000005
【図４】
2006087592.tif 000006
【図５】
2006087592.tif 000007
【図６】
2006087592.tif 000008
【図７】
2006087592.tif 000009
【図８】
2006087592.tif 000010
【図９】
2006087592.tif 000011